(57)【要約】    【課題】  体圧がバランスよく分散支持され、快適かつ健康な睡眠が得らるとともに褥瘡を防止しうるマットレス本体と、このマットレス本体がカバーで被覆されたマットをマット載置面に配し、快適で健康な寝心地が得られるベッドの提供を課題する。    【解決手段】  ベッド基体の複数の屈曲部を有するマット載置面に配しうるマットを、カバーにより被覆されることにより形成しうるマットレス本体であって、前記マットレス本体は、弾力性を有する弾性マット体と、この弾性マット体の上又は下に重ねて配される低反発性の低反発マット体とを含む積層体からなり、かつ前記低反発マット体に、直径３〜１２ｍｍ、しかも縦方向ピッチが１５〜４５ｍｍ、横方向ピッチが１０〜４０ｍｍ、単位面積（ｍ2 ）当たり６００〜１６００個の通気孔を設けたことを特徴とするマットレス本体、およびこのマットレス本体がカバーで被覆されたマットを、マット載置面に配したベッド。【選択図】  図１
2005312649.tif 000002
【特許請求の範囲】
【請求項１】
ベッド基体の複数の屈曲部を有するマット載置面に配しうるマットを、カバーにより被覆されることにより形成しうるマットレス本体であって、
前記マットレス本体は、弾力性を有する弾性マット体と、この弾性マット体の上又は下に重ねて配される低反発性の低反発マット体とを含む積層体からなり、
かつ前記低反発マット体に、直径３〜１２ｍｍ、しかも縦方向ピッチが１５〜４５ｍｍ、横方向ピッチが１０〜４０ｍｍ、単位面積（ｍ2 ）当たり６００〜１６００個の通気孔を設けたことを特徴とするマットレス本体。
【請求項２】
前記弾性マット体は、ＪＩＳ  Ｋ６４００による硬さが１００〜４５０Ｎ、損失係数が０．０５〜０．３のスポンジ材、低反発マット体は前記硬さが３５〜１８０Ｎ、損失係数が０．３〜０．９５のスポンジ材からなることを特徴とする請求項１記載のマットレス本体。
【請求項３】
前記マットレス本体は、主部と、枕部との２分割体からなり、かつスポンジ材はウレタンフオームであり、しかも前記縦方向ピッチが前記横方向ピッチよりも大であることを特徴とする請求項２記載のマットレス本体。
【請求項４】
前記弾性マット体は、前記マット載置面の屈曲部に対応する領域に、横方向にのびる屈曲用溝を形成し、かつ該屈曲用溝の縦方向ピッチを１０〜４０ｍｍ、深さを弾性マット体の厚さの１／７〜１／３倍としたことを特徴とする請求項１〜３のいずれかに記載のマットレス本体。
【請求項５】
前記屈曲用溝は、上下両面に対向して設けるとともに、該屈曲用溝は、両溝側壁が底に向かって巾を減じるＶ字状部の下端に曲面状の膨らみ部を設けた連続溝からなることを特徴とする請求項４記載のマットレス本体。
【請求項６】
請求項１〜５のいずれかに記載のマットレス本体がカバーで被覆されたマットを、マット載置面に配したベッド。
【発明の詳細な説明】
【技術分野】
【０００１】
本発明は、カバーにより被覆されてベッド基体のマット載置面に配されるマットを形成するマットレス本体およびそれを用いたベッドに関する。
【背景技術】
【０００２】
マットの寝心地を改善するため、クッション性を高めるなど使用者の体重を分散させる改良が重ねられている。またこれにより長期に亘る寝たきりの状況が続いた場合にも、皮膚組織の循環障害による発赤、腫脹、びらん、潰瘍などに基づく褥瘡（床ずれ）を防いでいる。なおこの褥瘡は、肩甲骨部、仙骨部、踵骨部など筋肉、皮下脂肪が少なく、骨が突出する部位が長時間圧迫されることが原因であることから、骨の突出している部分を含めた全身の体圧をできる限り均等に分散することにより予防しうる。
【０００３】
このため、特許文献１は、衝撃緩和素材からなる下層と、異なる反発性の素材を用いた複数の分割片からなる中間層と、前記下層および中間層よりも薄手でかつ同等以下の反発性の素材からなる上層とからなるマットを提案している。そして、この提案では、分割片で構成した中間層により、偏荷重のかかる背中の体圧を分散して寝姿勢保持を図り、また低反発性の上層により感触に違和感のない高い快適性を確保している。
【０００４】
【特許文献１】特開２００４−４９４１４号公報
【発明の開示】
【発明が解決しようとする課題】
【０００５】
しかしながら、上層に用いる低反発ウレタンフォームなどの低反発性素材は、通気性が小さいため変形性能が乏しく、そのため中間層による体圧分散効果が、使用者との間に位置する低反発性の上層により減殺され、寝心地を低下させている。さらにこの種低反発性素材は、負荷分布に応じた形状に変化するまでに時間を要し、体圧増減に対する変形追従性に劣る。そのため体圧不均一を生じ易く、寝心地を低下させるとともに強く圧迫される部分の血行を阻害して褥瘡発症を充分には防ぎえない。
【０００６】
また、前記低反発性素材は、通気性が乏しいことから体が発散する水分を滞留し、汗疹を生じるなど衛生状態を悪下させ、また素材自体の臭気が長期間滞留して安眠を妨げる恐れがある。
【０００７】
本発明は、弾性マット体と、この弾性マット体の上又は下に重ねて配され、かつ通気孔を設けた低反発マット体とを含む積層体からなること基本とし、体圧を増減に即応して分散でき、快適かつ健康な睡眠が得らるとともに褥瘡を防止しうるマットレス本体と、このマットレス本体がカバーで被覆されたマットをマット載置面に配し、快適で健康な寝心地が得られるベッドの提供を課題としている。
【課題を解決するための手段】
【０００８】
前記目的を達成するために、請求項１記載の発明は、ベッド基体の複数の屈曲部を有するマット載置面に配しうるマットを、カバーにより被覆されることにより形成しうるマットレス本体であって、前記マットレス本体は、弾力性を有する弾性マット体と、この弾性マット体の上又は下に重ねて配される低反発性の低反発マット体とを含む積層体からなり、かつ前記低反発マット体に、直径３〜１２ｍｍ、しかも縦方向ピッチが１５〜４５ｍｍ、横方向ピッチが１０〜４０ｍｍ、単位面積（ｍ2 ）当たり６００〜１６００個の通気孔を設けたことを特徴とする。
【０００９】
また請求項２に係る発明は、前記弾性マット体は、ＪＩＳ  Ｋ６４００による硬さが１００〜４５０Ｎ、損失係数が０．０５〜０．３のスポンジ材、低反発マット体は前記硬さが３５〜１８０Ｎ、損失係数が０．３〜０．９５のスポンジ材からなることを特徴とし、また請求項３に係る発明は、前記マットレス本体は、主部と、枕部との２分割体からなり、かつスポンジ材はウレタンフオームであり、しかも前記縦方向ピッチが前記横方向ピッチよりも大であることを特徴とする。
【００１０】
また請求項４に係る発明は、前記弾性マット体は、前記マット載置面の屈曲部に対応する領域に、横方向にのびる屈曲用溝を形成し、かつ該屈曲用溝の縦方向ピッチを１０〜４０ｍｍ、深さを弾性マット体の厚さの１／７〜１／３倍としたことを特徴とし、また請求項５に係る発明は、前記屈曲用溝は、上下両面に対向して設けるとともに、該屈曲用溝は、両溝側壁が底に向かって巾を減じるＶ字状部の下端に曲面状の膨らみ部を設けた連続溝からなることを特徴とする。
【００１１】
また請求項６に係る発明は、請求項１〜５のいずれかに記載のマットレス本体がカバーで被覆されたマットを、マット載置面に配したベッドである。
【発明の効果】
【００１２】
請求項１に係る発明は、体形に合わせた沈み込みが得られる低反発マット体に、直径３〜１２ｍｍ、しかも縦方向ピッチが１５〜４５ｍｍ、横方向ピッチが１０〜４０ｍｍ、単位面積（ｍ2 ）当たり６００〜１６００個の通気孔を設けるため、変形性能が向上して、体圧が分散支持されることから寝心地を向上する。しかも前記通気孔により、体圧変化に即応して変形でき、寝返りなど姿勢変化に際しても体圧が常に均等に支持される。その結果全身を包み込むように受け止めて、安らぎ感のある優れた寝心地が得られるとともに、血行が促進されて睡眠時の健康増進を図ることができる。さらには寝たきりの高齢者などにおいて、長時間の圧迫を受けて虚血性の障害を起す褥瘡を防止できる。
【００１３】
また、汗など睡眠中に体から発散する水分を、前記通気孔を通して蒸発させることができるため、健康快適な睡眠が得られ、さらには低反発マット体の持つ臭気成分が前記通気孔から早期に放散して低減するため、睡眠中に嫌な臭いが鼻をつくことがない。
【００１４】
また請求項２に係る発明の構成とすることにより、弾性マット体により底付きが防止でき、かつ低反発マット体により体圧分散効果を高めうる。
【００１５】
また請求項３に係る発明のように、マットレス本体を主部と枕部との２分割体とすることにより枕部の独立した昇降を可能とし、頭部が適正高さで支持されるため安楽な姿勢を維持しうる。また前記低反発マットの縦方向ピッチを横方向ピッチよりも大とすることにより、寝返りなど体重の横方向へのズレに対し体圧分散効果を高めることができる。
【００１６】
また請求項４に係る発明の構成とすることにより、マット載置面の曲げ変形に対する追従性を高めることができ、また請求項５に係る発明により、前記追従性が更に向上し、かつ耐久性を向上しうる。
【００１７】
また請求項６に係る発明のベッドは、快適で健康な寝心地がえられるとともに寝たきりの高齢者などの褥瘡を防止でき、またマット載置面の曲げ変形に対するマットの追従性に優れる。
【発明を実施するための最良の形態】
【００１８】
以下、本発明の実施の一形態を、図示例とともに説明する。図１に示すように、マットレス本体１は、弾性マット体４と、低反発マット体５とを含む積層体６からなり、カバーＣにより被覆されてマットＭを形成する。またこのマットＭは、図９、１０に示すように、ベッド基体Ｂｂの複数の屈曲部Ｗを有するマット載置面３に配されることによって、前記ベッド基体Ｂｂとともにベッドを形成する。
【００１９】
前記ベッド基体Ｂｂは、本実施形態では、ベッドの骨格をなし支脚Ｌを設けた平面略矩形状のベッド基枠Ｂ６と、このベッド基枠Ｂ６に支持されかつ頭側から足側に向けて連続形成された頭支持部Ｂ１と、背支持部Ｂ２と、臀支持部Ｂ３と、腿支持部Ｂ４と、脚支持部Ｂ５と具える。そして前記支持部Ｂ１乃至Ｂ５の表面によりマット載置面３が形成される。
【００２０】
また前記ベッド基体Ｂｂは、頭側、足側のベッド半基体Ｂｂ１、Ｂｂ２の向合う一端部を、図９に示される水平に展開した展開状態と、図１１に示される逆Ｖ字状の垂直状態との間で折り畳み展開可能に連結して構成される。従って前記垂直状態では、マット載置面３も逆Ｖ字状に形成されるため、ベッド半基体Ｂｂ１、Ｂｂ２上端において、略直角の折畳みの屈曲部Ｗ４、Ｗ４が形成される。
【００２１】
前記展開状態において、図１０に示すように、足側の端部が第１の枢支点Ｐ１でベッド基枠Ｂ６に枢支された前記背支持部Ｂ２は、駆動器１１ａが駆動する回動アーム１２によって、頭側を上に傾斜したリクライニング状態を形成できる。このとき前記マット載置面３には背支持部Ｂ２と臀支持部Ｂ３との間で内向きに折曲がるリクライニングの屈曲部Ｗ１が形成される。さらに頭支持部Ｂ１は、前記回動アーム１２により前記背支持部Ｂ２よりも小高く押上げられ、頭上昇状態Ｈが形成される。
【００２２】
また前記腿支持部Ｂ４は、頭側端部がベッド基枠Ｂ６に枢支点Ｐ２で枢支され、この腿支持部Ｂ４と、この腿支持部Ｂ４に枢支点Ｐ３で枢着された脚支持部Ｂ５と、この脚支持部Ｂ５とベッド基枠Ｂ６の枢支点Ｐ４間に架け渡された支持リンク１４と、前記枢支点Ｐ２、Ｐ４間のベッド基枠Ｂ６とで平行リンク機構が構成されている。そしてベッド基枠Ｂ６と脚支持部Ｂ５との間に架け渡された駆動器１１ｂが伸びると、腿支持部Ｂ４は足側を上に傾斜するとともに脚支持部Ｂ５が水平を維持して上昇するフットアップ状態が形成される。このとき前記マット載置面３には臀支持部Ｂ３と腿支持部Ｂ４との間で内向きに折れ曲がる腿の屈曲部Ｗ２が形成され、かつ腿支持部Ｂ４と脚支持部Ｂ５との間で外向きに折れ曲がる膝の屈曲部Ｗ３が形成される。
【００２３】
前記マットレス本体１は、前記の如く、弾性力を有する弾性マット体４と、この弾性マット体４に上又は下に重ねて配置される低反発マット体５とを含む積層体６からなる。弾性マット体４と低反発マット体５とは、重ね合せ面での摩擦により相互の位置ズレが防止されるが、前記重ね合せ面の両端を含む複数箇所、或いは全面において接着され一体化することもできる。また前記積層体６は、本実施形態では、図２、５に示すように、主部Ｓと枕部Ｔとの２分割体により形成され、枕部Ｔを頭側に配して前記カバーＣ内に挿入して使用される。このように枕部Ｔを分離して形成することにより、図１０に示された前記頭上昇状態Ｈにおいて、頭支持部Ｂ１上の枕部Ｔを独立して上昇させることができる。その結果別途枕を使用することなく使用者の頭部を高く支持して安楽な姿勢が維持され、寝心地を向上しうる。
【００２４】
前記積層体６は、厚さＴａが例えば４０〜５００ｍｍ程度、縦方向の長さは、主部Ｓと枕部Ｔとを合わせ例えば１５００〜２８００ｍｍ程度、横方向の巾は、例えばシングルサイズで例えば７００〜１３００ｍｍ程度、セミダブルサイズで例えば９００〜１８００ｍｍ程度に形成される。前記枕部Ｔの縦方向寸法は、例えば２００〜４００ｍｍ程度である。
【００２５】
前記弾性マット体４は、積層体６の厚さＴａに対し例えば２５〜７５％程度の厚さＴｂを有し、弾力性に富む。この弾性マット体４は、その弾性力により体圧を確実に支持するため、使用者に底付き感を与えることがなく、快適な寝心地を維持することができる。
【００２６】
前記弾性マット体４は、本実施形態では、図４に示すように、横方向にのびる屈曲用溝８が形成され、この屈曲用溝８は、マット載置面３に形成された前記各屈曲部Ｗ１〜４と向き合う領域毎に設けられる。すなわち弾性マット体４の足側の端部から頭側に向う距離Ｌ１が例えば１１００〜１２００ｍｍ程度の位置を中心とした領域に複数の、本形態では７本の屈曲用溝８からなる第１の溝群Ｄ１が形成される。そして該第１の溝群Ｄ１は、図１１に示すようにベッド基体Ｂｂが逆Ｖ字状の垂直状態において、折畳みの屈曲部Ｗ４に向き合い、図１０に示すようにリクライニング状態において、リクライニングの屈曲部Ｗ１と向き合う。同様に、足側端部からの距離Ｌ２が例えば７９０〜８９０ｍｍ程度の位置を中心として、前記折畳みの屈曲部Ｗ４、および腿の屈曲部Ｗ２に向き合う第２の溝群Ｄ２が形成され、更に距離Ｌ３が例えば４８０〜５８０ｍｍ程度の位置を中心として、膝の屈曲部Ｗ３に向き合う第３の溝群Ｄ３が形成される。
【００２７】
このように、前記屈曲用溝８は、逆Ｖ字状の垂直状態、背支持部Ｂ２が起き上がるリクライニング状態、および脚支持部Ｂ５が上昇するフットアップ状態において、マット載置面３が内向き、又は外向きに折れ曲がる各屈曲部Ｗに対応した領域に形成されるため、弾性マット体４の表裏面で生じる伸縮が吸収され、その結果マットレス本体１がマット載置面３から浮上りなどを生じることなくマット載置面３に沿って変形できる。しかも前記リクライニングの屈曲部Ｗ１、腿の屈曲部Ｗ２など内向きの屈曲部において、弾性マット体４の内側が圧縮により弾性力を低下させることがないため、体圧の分散が維持される。さらに前記折曲げ、折畳み動作の繰り返しに対しても、弾性マット体４に生じる応力が抑制され、弾性マット体４の疲労劣化を防止し耐久性能が向上する。
【００２８】
前記屈曲用溝８は、本実施形態では、図７に示すように、弾性マット体４の上下両面に対向して設けられる。これにより折り曲げ変形時に、内側の圧縮サイド、外側の引張りサイド双方で変形性が向上し、両作用が相俟って屈曲変形能力を効果的に高めることができる点で好ましい。
【００２９】
また本形態の屈曲用溝８は、図７に示すように、その両溝側壁８ａ、８ａが底に向って巾を減じるＶ字状部８ｂを具え、さらに該Ｖ字状部８ｂの下端に曲面状の膨らみ部８ｃを設けた連続溝により形成される。前記Ｖ字状部８ｂにより、折り曲げ変形時、内側の圧縮サイドで変形能力が向上する点で好ましい。また前記曲面状の膨らみ部８ｃにより、折り曲げ変形能力が向上するとともに前記変形の繰返しにより屈曲用溝８奥部に生じ易い亀裂発生が防止され耐久性を高めうる。
【００３０】
前記屈曲用溝８は、その縦方向のピッチｐ１を１０〜４０ｍｍの範囲とすることが望ましい。下限についてより好ましくは２０ｍｍ以上、上限についてより好ましくは３５ｍｍ以下が良い。１０ｍｍ未満では、間隔が狭すぎるため弾性マット体４の弾力性低下を招いて底付き感を与える恐れがあり、逆に４０ｍｍを超えると、折曲げ変形の吸収能力が不足するため、折曲げ内側で弾力性が低下する可能性があり、また疲労による亀裂を生じる恐れがある。
【００３１】
また、屈曲用溝８は、その深さｄを弾性マット体４の厚さＴｂの１／７〜１／３倍の範囲とすることが望ましい。１／７未満では、浅すぎるため折曲げ変形の吸収能力が不足し、逆に１／３を超えると、弾性マット体４の強度低下が過大となり、耐久性に問題が生じる。
【００３２】
前記弾性マット体４は、本実施形態では、ＪＩＳ  Ｋ６４００による硬さが１００〜４５０Ｎ、損失係数が０．０５〜０．３のスポンジ材を用いる。前記硬さは、下限についてより好ましくは１５０Ｎ以上、上限についてより好ましくは３５０Ｎ以下が良い。また損失係数は下限についてより好ましくは０．１以上、上限についてより好ましくは０．２５以下が良い。前記硬さが１００Ｎ未満では、弾性マット体４の弾性力が不足するため、底付き感を与える恐れがあり、逆に４００Ｎを超えると、クッション性が不足するため寝心地に硬さが感じられて睡眠の快適性が低下する。また損失係数が０．０５未満では、反発力が過大となるため寝心地が低下し、逆に０．３を超えると、反発力が不足するため底付き感を与える恐れがある。
【００３３】
なお前記損失係数とは、材料が変形する際にどの程度のエネルギーを熱に変えることにより吸収するかを示す値で、動的粘弾性測定装置で測定される。また損失係数は、貯蔵剪断弾性率（Ｇ' ）と損失剪断弾性率（Ｇ" ）との比、Ｇ" ／Ｇ' で表され、値が大きいほど多くのエネルギーを吸収することを示す。また前記弾性マット体４を構成するスポンジ材は、本実施形態では、ウレタンフォームを用いる。前記スポンジ材は、この他ポリエチレンフォームなどを使用することもできる。
【００３４】
前記低反発マット体５は、前記の如く弾性マット体４と積層して積層体６を形成し、積層体６の厚さＴａに対し例えば２５〜７５％程度の厚さＴｃを有する。また前記低反発マット体５は、図６に示すように、通気性能を高めるため多数の通気孔７が設けられる。この通気孔７の直径は、３〜１２ｍｍの範囲とし、下限についてより好ましくは５ｍｍ以上、さらに好ましくは６ｍｍ以上が望ましく、上限についてより好ましくは１０ｍｍ以下、さらに好ましくは７ｍｍ以下が良い。３ｍｍ未満では、通気性能が不足するため体圧分散性能が不充分となり、かつ体からの発散水分が滞留する可能性を生じ、逆に１２ｍｍを超えると、低反発マット体５の強度低下の恐れがある。
【００３５】
前記通気孔７の縦方向ピッチｐ２は、１５〜４５ｍｍの範囲とし、下限についてより好ましくは２５ｍｍ以上、上限についてより好ましくは３５ｍｍ以下が良い。また前記横方向ピッチｐ３は、１０〜４０ｍｍの範囲とし、下限についてより好ましくは２０ｍｍ以上、上限についてより好ましくは３０ｍｍ以下が良い。縦方向ピッチｐ２、横方向ピッチｐ３は、各々１５ｍｍ、１０ｍｍ未満では、間隔が狭くなりすぎるためそれ以上の体圧分散効果が得られず、逆に各々４５ｍｍ、４０ｍｍを超えると、通気性能が不足する。
【００３６】
また、前記寝返り等の姿勢変化は、体重の横方向への移動を伴うため、体圧分布において主に横方向における変化として表れる。従って本実施形態では、前記体圧分布変化に鋭敏、かつ迅速に追従して体圧分散を図るため、前記縦方向ピッチｐ２を横方向ピッチｐ３よりも大としている。
【００３７】
前記通気孔７の単位面積（ｍ2 ）当たりの数は、６００〜１６００個の範囲とする。下限についてより好ましくは９００個以上、上限についてより好ましくは１４５０個以下が良い。６００個未満では、通気性能が不足するため体圧変化に対する追従性が乏しく、逆に１６００個を超えると、通気孔７が過密となるためそれ以上の体圧分散効果が得られない上、強度低下の恐れがある。
【００３８】
なお前記通気孔７は、低反発マット体５の横の端部近傍に設けたとしても、体圧分散効果が乏しく、かつ該部分の強度を低下させる。従って、本実施形態では、図３に示すように、低反発マット体５の両横の端部の、例えば横巾５０〜１２０ｍｍ程度の範囲は、通気孔７を形成しない領域Ｚとしている。
【００３９】
このように通気孔７が形成されることにより、通気性能を高めた低反発マット体５は、体圧に対応する変形性能が向上する。その結果図９に示すように、頭部、肩部、臀部など体重の重い突出箇所を支持する領域は、これを柔らかく支持するために体形に対応した形状に変形し、体圧を分散して支持することにより、良好な寝心地が得られる。特に寝返り等に伴い体圧分布が変化した時、通気孔７の作用により短時間で前記体圧変化に追従して変形できるため、常に体圧が均等に支持される。その結果寝返り等姿勢変化をスムースに行えるととともに、常に体全体が柔らかく包まれるような感触で支持されるため、寝心地が著しく向上するとともに安眠と全身の血行が促進されて、健康増進が図れる。さらには、前記のように寝返り動作を含め体圧が偏ることなく分散され、しかも肩甲骨部、仙骨部等の骨が突出した箇所を含め全身が柔らかく支持されるため、寝たきりの状態においても褥瘡を防止できる。また高い通気性能により睡眠中に体から発散する水分が滞留することなく蒸発するため、夏場等においても健康快適な睡眠が得られる。さらに低反発マット体５内部の臭気成分が通気孔から早期に放散して低減するため、睡眠中に鼻をつく臭いで不快感を持つことがない。
【００４０】
また前記低反発マット体５は、本実施形態では、ＪＩＳ  Ｋ６４００による硬さが３５〜１８０Ｎ、損失係数が０．３〜０．９５のスポンジ材を用いる。前記硬さは、下限についてより好ましくは５０Ｎ以上、上限についてより好ましくは１３０Ｎ以下が良い。また損失係数は下限についてより好ましくは０．４５以上、上限についてより好ましくは０．８以下が良い。前記硬さが３５Ｎ未満では、低反発マット体５の体圧支持力が不足して不安定感が生まれて、寝心地を損ね、逆に１８０Ｎを超えると、柔らかさを欠くため睡眠の快適性が低下し、しかも体圧が不均一となるため睡眠中の血行不良を生じ、かつ褥瘡発症の恐れがある。また損失係数が０．３未満では、反発力が過大で体圧分散が不充分となるため、寝心地が低下するとともに血行不良、褥瘡発症を招き、逆に０．９５を超えると、体圧支持力の不足により、安定感を欠いた寝心地となる。なお前記低反発マット体５を構成するスポンジ材は、本実施形態では、低反発性のウレタンフォームを用いる。前記スポンジ材は、この他ポリエチレンフォームなどを使用することもできる。
【００４１】
なお、前記低反発マット体５と弾性マット体４との間に、図８に示すように、補強シート１３を設けうる。このとき体圧支持力が向上するとともに繰返し屈曲動作に対する疲労強度が強化される点で好ましい。前記補強シート１３は、本実施形態ではネット体Ｎであり、また弾性マット体４の外側に設けることもできる。前記ネット体Ｎは、ポリエチレン、ポリスチレン、ＡＢＳ樹脂、塩化ビニル樹脂、メラミン樹脂等のプラスチックを用いたモノフィラ、または撚り糸などのコードを網状に配して交差部を熱溶着、接着剤などにより一体化することにより形成している。
【００４２】
前記カバーＣは、本形態では内カバーＣｉと外カバーＣｏとを含み構成されたものを例示している。また前記内カバーＣｉは、図１２に示すようにマットレス本体１の主部Ｓを覆う主内カバーＣｉｓと、枕部Ｔを覆う枕内カバーＣｉｔとからなる。前記主内カバーＣｉｓは、前記主部Ｓを略隙間無く挿入しうる平枡状の主基部１５ａと、この主基部を覆う矩形状の主覆い１５ｂとからなる。前記主覆い１５ｂはその枕側が主基部１５ａと一体に繋がり、残り三辺が連続した開閉用のファスナーＦ１を用いて主基部１５ａの周縁に着脱可能に結合される。このように構成された主内カバーＣｉｓにより、主部Ｓの全面が取外し可能に覆われる。前記枕内カバーＣｉｔは、同様にして平枡状の枕基部１６ａと、枕覆い１６ｂとからなり、枕覆い１６ｂの隣接するニ辺が開閉用のファスナーＦ１を用いて開閉可能に構成され、枕部Ｔを取外し可能に覆っている。
【００４３】
また前記主内カバーＣｉｓと、枕内カバーＣｉｔとは、向き合う側面相互が、例えば３５〜１５０ｍｍ程度、本形態では７０ｍｍの一定巾の継ぎ布１７で連結される。さらに前記向き合う側面の上下端が各々全長に亘り連結用のファスナーＦ２、Ｆ２により着脱可能に構成されている。このように構成することにより、図１２に示すように、前記連結用のファスナーＦ２、Ｆ２による連結を外した状態では、前記継ぎ布１７の巾寸法の範囲で主部Ｓに対して枕部Ｔが昇降可能に連結され、前記の如く枕部Ｔを持上げ別途枕を用いることなく安楽な姿勢を確保しうる。他方図１３に示すように、連結用のファスナーＦ２、Ｆ２で主内カバーＣｉｓと、枕内カバーＣｉｔとを一体に連続させ使用することもできる。
【００４４】
前記内カバーＣｉは、継ぎ布１７を含め、レーヨン繊維、ポリエステル繊維、ポリプロピレン繊維などの不織布を用いて形成される。そのため通気性に富むとともに柔軟性、緩衝性を具え、しかもマットレス本体１を傷付け難い点で好ましい。
【００４５】
前記外カバーＣｏは、図１４（Ａ）に示すように、開口全縁に内側に向いて折れ曲がった巾５０〜２００ｍｍ程度の鍔部１８を具えた平枡状をなし、主部Ｓおよび枕部Ｔを含み前記内カバーＣｉで覆われたマットレス本体１を略隙間なく挿入できる。前記鍔部１８先端には、ゴム紐などの弾性紐状体１９が取付けられ、この弾性により外カバーＣｏが弛むことなく、かつ外れることなくマットレス本体１に装着されうる。
【００４６】
前記弾性紐状体１９は、図１４（Ｂ）に示すように、外カバーＣｏの鍔部１８がなす四隅において鍔部１８間に斜めに架け渡すこともでき、更に図１４（Ｃ）に示すように、外カバーＣｏの鍔部１８の向き合う隅部の間に襷状に架け渡すこともできる。
【００４７】
前記外カバーＣｏは、綿、麻などの植物繊維、レーヨン、ポリエステル、ビニロンなどの化学繊維を用いた布地で縫製される。さらに織目が細かく滑らかなパイル素材を用いると、体表面から発散する水分を素早く吸収するため、汗ばむ季節に快適に使用できる点で好ましい。
【００４８】
また図１５に他の形態のカバーＣにより被覆されたマットＭが示される。前記カバーＣは、布地で袋状に縫製され、かつ開閉可能とするため例えば片側の縁部に沿うファスナーＦを具える。本形態では、連続して並ぶ主部Ｓと枕部Ｔとが、一つのカバーＣによりまとめて被覆される。
【００４９】
なお、前記マットレス本体１は、低反発マット体５を上方に向け、使用者の体圧を低反発マット体５で分散支持させて使用する他、弾性マット体４を上方に向けて使用し、前記体圧を弾性力により高反発に支持させることもできる。このように、マットレス本体１を反転使用することにより、感触の異なる２種類の寝心地を選択することが可能であり、使用者の体調、気分、或いは好みに合わせて使い分けすることができる。また前記実施形態は、一層の弾性マット体４と、一層の低反発マット体５とを積層したマットレス本体１が例示されるが、弾性マット体４の上下を低反発マット体５で挟んだ三層の積層体６とすることもできる。
【００５０】
本発明のベッドは、図９に示すように、ベッド基体Ｂｂのマット載置面３に、前記各種形態のマットレス本体１を前記カバーＣで被覆したマットＭを載置して構成される。弾性マット体４と通気孔７を設けた低反発マット体５とを含む積層体６からなる前記マットレス本体１により、優れた寝心地が得られ、血行促進による健康増進と褥瘡発症を防止しうるベッドが形成される。また弾性マット体４、低反発マット体５の硬さと損失係数とを前記の範囲とすると、弾性マット体により底付き感をなくし、低反発マット体により体圧分散効果を高めることができる。さらに、マットレス本体１を主部Ｓと枕部Ｔとの２分割体とすることにより頭部の荷重を適正高さで支えて安楽な姿勢が維持でき、また前記低反発マットの縦方向ピッチが横方向ピッチよりも大とすることにより、寝返りなど体重の横方向へのズレに対応して体圧分散しうるベッドが形成される。また弾性マット体４に横方向の屈曲用溝８を設けることにより、マット載置面の曲げ変形に対する追従性を高めることができ、前記屈曲用溝８を上下に対向して設け、かつＶ字状部８ｂの下端に膨らみ部８ｃを設けた連続溝とすることにより前記追従性を更に高めるとともに、ベッドの耐久性を向上しうる。
【図面の簡単な説明】
【００５１】
【図１】本発明のマットレス本体１の一実施形態をカバーＣで被覆したマットＭを示す斜視図である。
【図２】本発明のマットレス本体１の一実施の形態を例示する斜視図である。
【図３】その平面図である。
【図４】その底面図である。
【図５】その正面図である。
【図６】図３の部分拡大図である。
【図７】そのＣ−Ｃ断面図である。
【図８】他の実施形態を例示する一部切欠き斜視図である。
【図９】本発明のマットレス本体１の使用状態を説明し、かつ本発明のベッドを例示する正面図である。
【図１０】その動作状態を説明する正面図である。
【図１１】他の動作状態を説明する正面図である。
【図１２】マットレス本体１が内カバーＣｉで覆われた状態を例示する斜視図である。
【図１３】その要部拡大斜視図である。
【図１４】（Ａ）は内カバーＣｉ及び外カバーＣｏで覆われたマットを例示する分解斜視図、（Ｂ）は他の実施形態を例示する斜視図、（Ｃ）は更に他の実施形態を例示する斜視図である。
【図１５】カバーＣの他の実施形態を例示する斜視図である。
【符号の説明】
【００５２】
１      マットレス本体
３      マット載置面
４      弾性マット体
５      低反発マット体
６      積層体
７      通気孔
８      屈曲用溝
８ａ    溝側壁
８ｂ    Ｖ字状部
８ｃ    膨らみ部
Ｂｂ    ベッド基体
Ｃ      カバー
Ｍ      マット
Ｓ      主部
Ｔ      枕部
Ｗ      屈曲部
【図１】
2005312649.tif 000003
【図２】
2005312649.tif 000004
【図３】
2005312649.tif 000005
【図４】
2005312649.tif 000006
【図５】
2005312649.tif 000007
【図６】
2005312649.tif 000008
【図７】
2005312649.tif 000009
【図８】
2005312649.tif 000010
【図９】
2005312649.tif 000011
【図１０】
2005312649.tif 000012
【図１１】
2005312649.tif 000013
【図１２】
2005312649.tif 000014
【図１３】
2005312649.tif 000015
【図１４】
2005312649.tif 000016
【図１５】
2005312649.tif 000017